(57)【要約】      （修正有）【課題】柄２を上方延長させた背棒３の上下両端から保護板４，４を前方突出する本体部材１と、基板１２前面から複数櫛歯を上下に並設させて前方突出する櫛歯部材１１とを、上下両保護板間へ櫛歯部材１１を位置させて嵌合させた櫛において、基板１２の上下両端部後面と該後面と対向する背面前面部分とが形成する微少間隙２１内へ、髪が挟まれないようにする。【解決手段】基板１２の上下両端部の後面と、これ等両後面と対向する背棒３前面部分とのいずれかの一方に凹部１７を、該凹部内へ嵌合する突部６を他方から突出させて、該突部６により上記微少間隙２１の一部を閉塞させた。【選択図】  図１
2004147973.tif 000002
【特許請求の範囲】
【請求項１】
柄２を上方延長させて背棒３となし、該背棒前面の上下両端部から櫛歯兼用保護板４を前方突出させた本体部材１と、
複数櫛歯１３を上下に並設させて、上下両端部を除く基板１２の前面部分から前方突出させた櫛歯部材１１とからなり、
基板の上下両端面と両保護板４，４との間に間隙をおいて、該櫛歯部材の基板１２後面を背棒前面へ面接触させて嵌合させた、二部材嵌合式の櫛において、
上記基板の上下両端部の後面と、これ等両後面に対応する背棒前面３ａ部分との間に形成された微少間隙２１の上端部と下端部の一部を、基板ないし背棒の一方に穿設した凹部１７内へ嵌合させて他方から突設した突部６により閉塞させた  ことを特徴とする櫛。
【請求項２】
上記本体部材１と櫛歯部材１１とを着脱自在に嵌合させた
ことを特徴とする請求項１記載の櫛。
【請求項３】
上記突部６を、背棒前面３ａの上下両端部から突出させると共に、凹部１７を、基板後面の上下両端部へ上面又は下面を開放させて穿設した
ことを特徴とする、請求項１又は２記載の櫛。
【請求項４】
上記突部６を、基板後面の上下両端部から後方突出させると共に、凹部１７は背棒前面３ａの上下両端部に穿設した
ことを特徴とする、請求項１、２又は３記載の櫛。
【請求項５】
上記柄２を、容器体取付け用の筒状とすると共に、背棒３も筒状となし、又上下両保護板４間の背棒部分前面には複数の嵌合孔５を穿設しておき、
又櫛歯部材の各櫛歯を流出孔１５付きとすると共に、基板後面から各櫛歯の流出孔とそれぞれ連通する複数の嵌合筒１４を後方突出させておき、
上記各嵌合孔５内へ各嵌合筒１４を水密にかつ着脱自在に嵌合させ、
容器体への取付け状態にあっては、容器体内液体が、柄、背棒、嵌合筒、櫛歯内を通って櫛歯先端部に開孔させた流出口１６から流出可能に形成した
ことを特徴とする、請求項１、２、３又は４記載の櫛。
【発明の詳細な説明】
【０００１】
【発明の属する技術分野】
本発明は櫛に関する。
【０００２】
【従来の技術】
柄を上方延長させた背棒前面の上下両端から、櫛歯兼用の保護板を前方へ突出させた本体部材と、基板前面から複数櫛歯を上下に並設させて前方突出する櫛歯部材とを、該櫛歯部材を上記両保護板間の背棒前面部分間へ嵌合させた中空の、容器体取付け用の中空の櫛が知られている（例えば特許文献１参照）。
【０００３】
【特許文献１】
特開平１０−３２４３４０  号公報
【０００４】
【発明が解決しようとする課題】
上記のような櫛は、使用時に上記基板後面の上下両端と、これ等両端部が接する背棒前面部分との間に小さな隙間が出来易く、すると櫛使用時にその隙間内へ髪が挟み込まれて髪が櫛により無理に引抜きされることがあった。
【０００５】
本発明はそのような髪の引き抜きが生じないよう設けたものである。
【０００６】
【発明が解決しようとする課題】
上記二部材で形成した櫛として、柄を上方延長させた背棒前面の上下両端から、櫛歯兼用の保護板を前方へ突出させた本体部材と、基板前面から複数櫛歯を上下に並設させて前方突出する櫛歯部材とを、該櫛歯部材を上記両保護板間の背棒前面部分間へ着脱自在に嵌合させたものが知られている。
【０００７】
該二部材着脱式の櫛は、櫛歯を比較的柔らかい材質として頭皮を保護することが出来る等、その他種々の利点があるが、櫛使用時に上記基板後面の上下両端と、これ等両端部が接する背棒前面部分との間に小さな隙間が出来易く、すると櫛使用時にその隙間内へ髪が挟み込まれて髪が櫛により無理に引抜きされることがあった。
【０００８】
本発明はそのような髪の引き抜きが生じないよう設けたものである。
【０００９】
【課題を解決するための手段】
第１の手段として、柄２を上方延長させて背棒３となし、該背棒前面の上下両端部から櫛歯兼用保護板４を前方突出させた本体部材１と、
複数櫛歯１３を上下に並設させて、上下両端部を除く基板１２の前面部分から前方突出させた櫛歯部材１１とからなり、
基板の上下両端面と両保護板４，４との間に間隙をおいて、該櫛歯部材の基板１２後面を背棒前面へ面接触させて嵌合させた、二部材嵌合式の櫛において、
上記基板の上下両端部の後面と、これ等両後面に対応する背棒前面３ａ部分との間に形成された微少間隙２１の上端部と下端部の一部を、基板ないし背棒の一方に穿設した凹部１７内へ嵌合させて他方から突設した突部６により閉塞させた。
【００１０】
第２の手段として、上記第１の手段を有すると共に、上記本体部材１と櫛歯部材１１とを着脱自在に嵌合させた。
【００１１】
第３の手段として、上記第１又は第２の手段を有すると共に、上記突部６を、背棒前面３ａの上下両端部から突出させると共に、凹部１７を、基板後面の上下両端部へ上面又は下面を開放させて穿設した。
【００１２】
第４の手段として、上記第１、第２又は第３の手段を有すると共に、上記突部６を、基板後面の上下両端部から後方突出させると共に、凹部１７は背棒前面３ａの上下両端部に穿設した。
【００１３】
第５の手段として、上記第１、第２、第３又は第４の手段を有すると共に、上記柄２を、容器体取付け用の筒状とすると共に、背棒３も筒状となし、又上下両保護板４間の背棒部分前面には複数の嵌合孔５を穿設しておき、
又櫛歯部材の各櫛歯を流出孔１５付きとすると共に、基板後面から各櫛歯の流出孔とそれぞれ連通する複数の嵌合筒１４を後方突出させておき、
上記各嵌合孔５内へ各嵌合筒１４を水密にかつ着脱自在に嵌合させ、
容器体への取付け状態にあっては、容器体内液体が、柄、背棒、嵌合筒、櫛歯内を通って櫛歯先端部に開孔させた流出口１６から流出可能に形成した。
【００１４】
【発明の実施の形態】
まず、図１から図３が示す第１実施形態について説明すると、１は本体部材で、該本体部材は、柄２、その柄を上方延長させて形成した背棒３を有する。図示例では柄を容器体取付け用の筒状とし、かつ背棒３も柄と連通する、上端面閉塞の筒状としている。その背棒３の前面は垂直な平面としており、又その上下両端部からは櫛歯兼用の保護板４，４を前方へ突出させている。又その背棒前面の上下方向には複数の嵌合孔５を並設させて穿設し、かつ背棒前面の上下両端部からは、図２が示すように上記保護板の基端との間に間隙をおいて突部６を前方突出させている。尚該突部については後述する。
【００１５】
１１は櫛歯部材で、該櫛歯部材は基板１２の前面から複数の櫛歯１３を並設させて前方突出させ、又その基板後面からは各櫛歯の後方に位置させて嵌合筒１４を後方突出させている。各櫛歯はその中心線上に流出孔１５を有し、該流出孔と嵌合筒が有する筒孔とは連通させ、流出孔は各櫛歯前部の上下方向へ穿設した孔と連通させて、その孔を流出口１６としている。更に上記基板１２の上下両端部の後面には、上面又は下面へ開口させて図３が示すような凹部１７を形成している。尚それ等基板の上下両端部は上下両端の櫛歯側面から上下に突出させている。
【００１６】
上記櫛歯部材１１は図２が示すように、本体部材１の背棒前面へ、又嵌合筒１４を各嵌合孔５内へ水密に、かつ着脱可能に嵌合させる。このとき既述突部６は図３が示すように凹部１７内へそれぞれ嵌合させる。このとき上下の保護板４と上下両端の櫛歯との間には、各櫛歯間の間隙とほぼ同一の間隙が形成され、又基板１２の上下両端面と、これ等両端面と対向する保護板部分内面との間には上記間隙よりも狭い間隙が形成されている。
【００１７】
上記構成とした櫛で髪を梳くと、各櫛歯間および上下両端の櫛歯と両保護板４，４との間に毛髪が入る。上下両端の櫛歯と両保護板４，４との間に入った毛髪は、図３が示す基板１２の上下両端の後面１２ａ  と、背棒前面３ａとの間に形成される微少間隙２１内へ入ろうとするが、該実施例の場合は図３が示すように背棒前面から突出させた突部６が基板後面に形成された凹部１７内へ嵌合されているため、上記背棒前面と基板後面との間に形成される微少間隙２１は、背棒前面および基板後面の左右方向両側部にだけ形成されることとなる。尚既述突部６の前面と、該前面と対向する凹部１７の底面との間および突部６の左右両側面と、これ等両側面と対向する凹部の左右両内面との間にも微少間隙が形成されるが、これ等は図３が示すように上記背棒前面と基板後面との間の微少間隙２１とは異る平面上に形成されることとなるためこれ等微少間隙内に髪が入ることはない。
【００１８】
図４は第２実施形態を示す。既述第１実施形態と同一部分については同一符号を付することで説明を省略し、異る部分についてだけ説明すると、該実施形態にあっては背棒前面の上下両端部に設けた突部を有せず、又基板後面の上下両端に設けた凹部を有しない。
【００１９】
それ等突部と凹部とに代えて、第２実施形態にあっては背棒３前面の上下両端部の左右に凹部１７，１７  を穿設し、又基板１２の上下両端部後面の左右両側部から上記凹部内へ嵌合させる突部６，６を後方突出する。該実施形態の場合も背棒前面へ櫛歯部材１１を嵌合させたとき、突部６が凹部１７内へ嵌合するものとする。
【００２０】
既述両実施形態の場合は、胴部圧搾式の容器体、ポンプ付きの容器体又エアゾール式容器体等への取付けが可能に、容器体内液体を柄、背棒、嵌合筒、更に各櫛歯内を通って櫛歯先端から流出させることが可能な中空櫛について説明したが、本発明の櫛は必ずしもそのような中空の櫛でなくてもよく、本体部材と櫛歯部材との二部材で形成され、それ等両部材を適宜嵌合手段で着脱可能に形成したものであれば足りる。
【００２１】
【発明の効果】
本発明は既述構成とするものであり、請求項１又は２記載の場合は、基板１２上下の両端部後面と、これ等両後面と対応する背棒３の両前面との間に形成される微少間隙２１の一部を、基板ないし背棒の一方から突出させた突部６で閉塞することとなるため、上記微少間隙内へ毛髪が挟まれて抜けるようなことを防止することが出来る。
【００２２】
即ち、既述従来例の場合は、図６が示すように、その微少間隙は上下両端の櫛歯側面から突出する基板上下両端部分の後面１２ａ  と、該後面が接する背棒前面３ａとの間に形成され、よってその微少間隙の入口部分に接した毛髪は、髪を梳くに従いその微少間隙２１内へ入込み、その間隙内での髪の摺動が不能となったとき、櫛が無理に髪を引抜くこととなるものである。
【００２３】
しかし本発明では上記微少間隙２１一部を突部６で閉塞させるから、髪梳きによって微少間隙内へ入込もうとする毛髪を阻止することとなり、よって髪梳き時における髪引抜きを防止させることが出来る。
【００２４】
請求項３又４のようにすることで、上記微少間隙一部の閉塞が容易である。
【００２５】
請求項５のようにすることで、髪梳きと同時に薬液等を髪に塗布することが容易である。
【図面の簡単な説明】
【図１】本発明櫛の分解斜視図である。
【図２】図１櫛の要部拡大断面図である。
【図３】図２Ａ−Ａ線の断面図である。
【図４】第２実施形態で示す分解斜視図である。
【図５】従来例櫛の要部断面図である。
【図６】図５Ｂ−Ｂ線の断面図である。
【符号の説明】
１…本体部材            ２…柄
３…背棒                    ３ａ…背棒前面
１１…櫛歯部材                        １２…基板
１３…櫛歯                                １４…嵌合筒
２１…微少間隙
【図１】
2004147973.tif 000003
【図２】
2004147973.tif 000004
【図３】
2004147973.tif 000005
【図４】
2004147973.tif 000006
【図５】
2004147973.tif 000007
【図６】
2004147973.tif 000008